(57)【要約】      （修正有）【課題】ＣＩ値が高くなる現象を軽減し、振動漏れの発生を軽減する水晶振動素子を提供する。【解決手段】平面積が他の面と比べて大きな２つの面を主面としたとき、平板状の水晶板１と、この水晶板の両主面に設けられる励振電極３とを備え、前記水晶板が、一方の主面の前記励振電極が設けられる位置又は両方の主面の前記励振電極が設けられる位置に凸部２が設けられ、前記凸部の平面中心Ｃ１に対して、前記励振電極の平面中心Ｃ２が、１５μｍ以下の範囲で前記水晶片の長辺側にズレて位置している。【選択図】図１
2014030112.tif 000002
【特許請求の範囲】
【請求項１】
平面積が他の面と比べて大きな２つの面を主面としたとき、
平板状の水晶板と、
この水晶板の両主面に設けられる励振電極とを備え、
前記水晶板が、
一方の主面の前記励振電極が設けられる位置又は両方の主面の前記励振電極が設けられる位置に凸部が設けられ、
前記凸部の平面中心に対して、前記励振電極の平面中心が、
１５μｍ以下の範囲で前記水晶片の長辺側にズレて位置していることを特徴とする水晶振動素子。
【発明の詳細な説明】
【技術分野】
【０００１】
本発明は、電子機器に用いられる水晶振動素子に関する。
【背景技術】
【０００２】
従来より、電子機器には圧電デバイスが用いられている。この圧電デバイスは、例えば、水晶振動子や水晶発振器などが含まれる。
これら水晶振動子や水晶発振器は、内部に気密封止されたＡＴカットの水晶板に励振電極が設けられた水晶振動素子が用いられている。
この水晶振動素子は、例えば、四角形状で平板状に形成された水晶板が用いられている。この水晶板は、両主面に凸部が設けられ、その凸部の表面に励振電極が設けられている。
この励振電極は、水晶板の両主面に設けられ、水晶板を挟んで対向させて設けられる。
ここで、一般的な水晶振動素子は、水晶板の主面の平面中心と、凸部の平面中心と、対向する励振電極の平面中心とが同一直線上に位置し、かつ、その直線が、水晶の結晶軸と並行となるように設計される。
なお、励振電極は、例えば、水晶板を保持具に整列させて、励振電極のパターンが設けられたメタルマスクで固定して、金属材料を水晶板に付着させることで形成することができる。
また、例えば、励振電極は、水晶板にフォトレジストを設けて励振電極のパターンとなるようにフォトレジストを感光させて不要部分を除去し、金属材料を付着させた後にウェットエッチングでフォトレジストを除去することにより形成することができる。
【先行技術文献】
【特許文献】
【０００３】
【特許文献１】特開２００９−２６７８８８号公報
【発明の概要】
【発明が解決しようとする課題】
【０００４】
しかしながら、従来の水晶振動素子は、励振電極の形成の際に、位置ずれを起こす場合があった。そのため、励振電極が対向しない部分が生じて水晶板内で生じる電界を起こす領域が小さくなってしまい、図３及び図４に示すように、必要なＣＩ値（クリスタルインピーダンス値）が得られないという課題があった。
また、励振電極が、水晶板の中心からズレてしまう場合があり、振動漏れが生じる恐れもあった。
【０００５】
そこで、本発明では、前記した問題を解決し、ＣＩ値が高くなる現象を軽減し、振動漏れの発生を軽減する水晶振動素子を提供することを課題とする。
【課題を解決するための手段】
【０００６】
前記課題を解決するため、本発明は水晶振動素子であって、平面積が他の面と比べて大きな２つの面を主面としたとき、平板状の水晶板と、この水晶板の両主面に設けられる励振電極とを備え、前記水晶板が、一方の主面の前記励振電極が設けられる位置又は両方の主面の前記励振電極が設けられる位置に凸部が設けられ、前記凸部の平面中心に対して、前記励振電極の平面中心が、１５μｍ以下の範囲で前記水晶片の長辺側にズレて位置していることを特徴とする。
【発明の効果】
【０００７】
このような水晶振動素子によれば、凸部の平面中心に対して、励振電極の平面中心を１５μｍ以下の範囲で前記水晶片の長辺側にズレて位置させたことによりＣＩ値が高くなることが軽減され、ＣＩ値を所定の温度範囲で安定した値とすることができた。
【図面の簡単な説明】
【０００８】
【図１】（ａ）は本発明の実施形態に係る水晶振動素子の一例を示す平面図であり、（ｂ）は本発明の実施形態に係る水晶振動素子の他の一例を示す平面図である。
【図２】本発明の実施形態に係る水晶振動素子におけるＣＩ値と温度との関係を示すグラフである。
【図３】凸部の平面中心と励振電極の平面中心との間隔と幅寸法との関係を示すグラフである。
【図４】従来の水晶振動素子におけるＣＩ値と温度との関係を示すグラフである。
【発明を実施するための形態】
【０００９】
次に、本発明を実施するための最良の形態（以下、「実施形態」という。）について、適宜図面を参照しながら詳細に説明する。なお、各構成要素について、状態をわかりやすくするために、誇張して図示している。ここで、平面積が他の面と比べて大きな２つの面を主面とする。
【００１０】
本発明の実施形態に係る水晶振動素子は、図１（ａ）に示すように、水晶板１と励振電極３とから主に構成されている。
水晶板１は、例えば、ＡＴカットの水晶片で平板状に形成されており、一方の主面に凸部２が設けられている。
この凸部２は、平面形状が例えば、楕円形状となっており、楕円の短径側の縁が水晶板１の平行する２つの長辺に接した状態となっている。
また、凸部２は、その平面中心が水晶板１の平面中心Ｃ１と一致した状態で形成されている。
【００１１】
この水晶板１の両主面に後述する励振電極３が対向して設けられ、凸部２の平面中心を基準にして、水晶片１の一方の長辺側にズレて位置させて設けられている。
ここで、水晶板１の一方の主面の励振電極３が設けられる位置に凸部２が設けられる。
つまり、水晶板１の一方の主面に楕円形状の凸部２が設けられ、他方の主面が平面状態となって形成されている。この楕円形状の凸部２の平面内に励振電極３が形成される。
【００１２】
励振電極３は、前記のとおり、水晶板１の凸部２の平面に形成されている。
この励振電極３は、その平面中心Ｃ２が、凸部２の平面中心Ｃ１に対して、水晶片１の長辺側に１５μｍ以下の範囲内にズレた位置に設けられている。
言い換えると、図１（ａ）及び（ｂ）に示すように、励振電極３は、凸部２の平面中心を起点として、水晶片１の短辺と並行する軸方向とその反対方向のどちらかに１５μｍ以下の範囲内に位置して設けられている。
また、励振電極３は、水晶板１の他方の主面にも設けられており、凸部２に設けられた励振電極３と対向した状態となっている。
【００１３】
このような水晶振動素子は、以下のようにして概略、形成される。
ＡＴカットの水晶ウェハ（図示せず）に耐食膜（図示せず）を設けた上にフォトレジスト（図示せず）を設ける。
凸部２とする部分と形成後に水晶板１を保持する部分（図示せず）以外の部分のフォトレジストを感光させ、感光させた部分を除去する。
露出した耐食膜を除去して水晶ウェハの表面を露出させ、ウェットエッチングにより露出した水晶ウェハに凹み部分を形成する。
凹み部分にフォトレジストを設けて、水晶板（図示せず）となる部分以外の部分を感光させ、感光させた部分を除去する。
【００１４】
露出した水晶ウェハの表面を厚み方向に貫通するまでウェットエッチングを行う。
フォトレジストと耐食膜を除去して、水晶板１を形成する。
水晶板１が設けられた水晶ウェハに耐食膜を設けてフォトレジストを設ける。
水晶ウェハの一方の主面に設けられる凸部の平面部分とその反対側となる水晶ウェハの他方の主面とに励振電極３を設けるためのパターンをフォトレジストに感光させる。
【００１５】
フォトレジストを感光させるパターンを例えばメタルマスクやガラスに遮光膜が設けられたマスクに形成して、水晶ウェハと重ねた状態で露光を行い、フォトレジストを感光させる。
このとき、水晶ウェハに設けた水晶板の形状と前記マスクとの重ね合わせにおいて、マスクに設けたパターンの平面形状の中心と凸部の平面中心とを用いる。
【００１６】
ここで、励振電極３は、凸部２の平面中心を起点として、水晶板の短辺と並行する軸方向とその反対方向のどちらかに１５μｍ以下の範囲内にマスクに設けたパターンの平面形状の中心を位置させている。
この状態で露光を行い、フォトレジストを感光させれば、凸部の平面中心を起点として、水晶板１の短辺と並行する軸方向とその反対方向のどちらかに１５μｍ以下の範囲内に励振電極３の形成が可能となる。
例えば、１つ又は複数の水晶板の凸部の平面中心とマスクのパターンの平面中心とを観察して位置合わせを行うのが良い。
なお、この位置合わせは、素子の外形形状の向きと対応させて行われるのは言うまでもない。
【００１７】
この状態で、励振電極３となる所定の金属膜を露出した凸部の表面に設ける。
これにより、本発明の実施形態に係る水晶振動素子を形成することができる。
【００１８】
このように本発明の実施形態に係る水晶振動素子を構成したので、凸部２の平面中心に対して、励振電極３の平面中心を１５μｍ以下の範囲内で前記水晶片の長辺側にズレて位置させたことにより、図２及び図３に示すように、ＣＩ値が高くなることが軽減され、所定の温度範囲として−４０℃〜１００℃の範囲においてＣＩ値が４０Ω〜６０Ωの範囲内に収まり安定した値とすることができる。
【００１９】
（変形例）
次に本発明の実施形態に係る水晶振動素子の変形例について説明する。
例えば、本発明の実施形態に係る水晶振動素子の変形例は、水晶板の両主面に凸部（図示せず）が設けられて構成されている。
【００２０】
励振電極は、この水晶板の両方の主面の前記励振電極が設けられる位置に凸部が設けられている。
つまり、水晶板の両主面に設けられた凸部の平面上に励振電極がそれぞれ設けられている。
この励振電極は、凸部の平面中心を起点として、短辺と並行する軸方向とその反対方向のどちらかに１５μｍ以下の範囲内に位置して設けられ、それぞれ対向している。
このように構成しても本発明の実施形態に係る水晶振動素子と同様の効果を奏する。
【符号の説明】
【００２１】
１      水晶板
２      凸部
３      励振電極
【図１】
2014030112.tif 000003
【図２】
2014030112.tif 000004
【図３】
2014030112.tif 000005
【図４】
2014030112.tif 000006